(57)【特許請求の範囲】
【請求項１】
駆動信号によって被検体に向けて送信超音波を出力するとともに、被検体からの反射超音波を受信することにより受信信号を出力する振動子と、
前記振動子による反射超音波の受信を行うときに、前記振動子に対してノイズを含む電圧を印加して前記受信信号を確率共鳴現象により増幅させるためのノイズ出力部と、
前記受信信号から高調波成分を抽出する高調波抽出部と、
前記高調波抽出部によって抽出された高調波成分に基づいて前記被検体内の超音波診断画像データーを生成する画像処理部と、
を備え、
前記ノイズ出力部は、前記確率共鳴現象によって前記高調波成分が増幅されるようなノイズを含む電圧を前記振動子に対して印加することを特徴とする超音波画像診断装置。
【請求項２】
前記ノイズ出力部は、前記確率共鳴現象によって３次高調波成分が増幅されるようなノイズを含む電圧を前記振動子に対して印加することを特徴とする請求項１に記載の超音波画像診断装置。
【請求項３】
前記ノイズ出力部は、前記振動子が受信する反射超音波の深度に応じて、前記確率共鳴現象による前記高調波成分の増幅の増幅率が次数毎に変更されるように前記ノイズを含む電圧を前記振動子に対して印加することを特徴とする請求項１又は２に記載の超音波画像診断装置。
【請求項４】
前記ノイズ出力部は、印加する電圧に含まれるノイズのパターンを変更することにより、前記確率共鳴現象による前記高調波成分の増幅の増幅率を次数毎に変更することを特徴とする請求項３に記載の超音波画像診断装置。
【請求項５】
前記ノイズ出力部は、前記被検体における所定の深度からの反射超音波を前記振動子が受信するタイミングで前記高調波成分が増幅されるようなノイズを含む電圧を前記振動子に対して印加することを特徴とする請求項１〜４の何れか一項に記載の超音波画像診断装置。
【請求項６】
前記ノイズ出力部によって出力される電圧が前記受信信号のベースラインに整合するように該電圧に対してバイアス電圧を重畳するバイアス電圧供給部を備えたことを特徴とする請求項１〜５の何れか一項に記載の超音波画像診断装置。
【請求項７】
前記バイアス電圧供給部は、前記振動子が受信する反射超音波の深度に応じて、重畳するバイアス電圧の大きさを変更することを特徴とする請求項６に記載の超音波画像診断装置。
【発明の詳細な説明】
【技術分野】
【０００１】
本発明は、超音波画像診断装置に関する。
【背景技術】
【０００２】
従来、超音波を被検体に送信し、音響インピーダンスの異なる境界にて送信超音波が反射・散乱することにより発生する反射超音波を受信し、この受信信号に基づいて画像化することにより非侵襲的に生体の形態を観察する医用診断法が知られている。この医用診断法では、例えば、超音波画像診断装置が用いられる。この超音波画像診断装置では、電気的に生成させた送信波形を音圧（送信超音波）に変換するとともに、反射超音波を電気信号に変換することができる圧電材料が用いられている。
【０００３】
上述した原理によれば、送信超音波の周波数が高いほど空間分解能の高い画像を得ることができるが、その反面、被検体内での減衰が大きく、反射超音波の強度は低下し、したがって、Ｓ／Ｎ（Signal-Noise ratio）は低くなる。すなわち、受信信号に含まれるノイズの割合が大きく、ダイナミックレンジが低下する。ここで、ダイナミックレンジとは、最大の信号レベルからノイズのレベルを引いたものである。さらに、反射超音波の強度は被検体中の深度とともに低下する。そのため、画質、周波数及び深度といった、相反する関係にある要素の何れをも満足させつつ受信信号のＳ／Ｎを高める技術が課題となっていた。そのため、超音波を送受信するための振動子、受信信号の電気的増幅技術、信号処理及び画像処理等、様々な改良が行われてきた。
【０００４】
例えば、適用される圧電材料としてＰＺＴ（ジルコン酸塩−チタン酸塩固溶体）やＰ（ＶＤＦ−３ＦＥ）（ポリフッ化ビニリデン−ポリトリフロロエチレン共重合体）が知られている。前者は、音圧−電気変換効率が高く、高感度でＳ／Ｎの高い受信信号を得るために多く用いられている。一方、後者は、音圧−電気変換効率において前者よりも劣るが、感受周波数帯域が広く、高周波で広帯域な受信信号を取り扱う超音波画像診断装置に適用されることがある。
【０００５】
しかしながら、これまでに、音圧−電気変換の向上を目的として新たな圧電材料が開発されてきたが、ＰＺＴやＰ（ＶＤＦ−３ＦＥ）の性能を超える圧電性・周波数特性を有する材料は見出されていない。
【０００６】
また、電気的に受信信号を増幅するために広く用いられている技術として、診断対象の深度に応じて信号の増幅率を変化させるＴＧＣ（Time Gain Compensation）等のアンプが知られている。これは、深度を音速より時間に変換し、エコー源の深度を、送信超音波を送信してからの遅延時間で測定し、測定した遅延時間に応じて受信信号の増幅率を変化させる極低ノイズアンプであり、これによりＳ／Ｎの向上を図るようにしている。
【０００７】
しかしながら、このようなアンプを用いる場合には、信号だけでなく、ノイズも増幅されてしまうため、Ｓ／Ｎの向上にも限界がある。また、アンプは駆動されることにより熱電子を発生させ、これによりノイズが発生し、このようなノイズの影響が無視できないものとなっている。ここで、アンプを冷却して熱電子の発生を低減させる技術についても知られているが、熱電子の発生を完全に抑制することはできないため、やはり、Ｓ／Ｎの向上にも限界がある。また、アンプを冷却するための装置により、装置が大型化し、また、コストもかかる。
【０００８】
また、信号処理により受信信号を増幅し、Ｓ／Ｎを向上させる方法として、符号化技術が知られている。これは、送信超音波を出力するための送信信号を位相又は周波数で変調させ、受信信号を当該送信信号と照合し、抽出された信号のみを画像化する技術である。この技術によれば、位相により送信信号を変調させる場合は、位相変調された信号の数により、また、周波数により送信信号を変調させる場合は、周波数シフト量に従い、Ｓ／Ｎが向上する。
また、近年の超音波画像診断装置では、複数の圧電素子をアレイ状に配置した超音波探触子が用いられており、それぞれの素子からの受信信号を整相加算する受信ビームフォーミングを行って、受信信号に含まれるノイズを低減させることにより、平均化原理によってＳ／Ｎを向上させることができる。また、この技術によれば、素子数（ｎ）が多くなるほど、ノイズが抑圧されるため（ノイズが１／（ｎ１／２）となる）、さらに、Ｓ／Ｎの向上が期待できる。
さらには、同様の平均化原理をフレーム間積算に適用して画像処理（フレームアベレージング）を行うことによりＳ／Ｎを向上させることもできる。
【０００９】
しかしながら、符号化技術によれば、生体内においては生体組織の特性により超音波が複雑に反射・散乱し、さらには、高周波数である反射超音波は大きく減衰されるため、受信信号の復調過程において、意図しない信号が増幅されてサイドローブが強く表れ、結果的にＳ／Ｎが低下することがある。一方で、高増幅率及びサイドローブの抑圧を目的として符号長や符号次元を増加させると、パルス幅や受信信号の復調時間が増大し、距離分解能やフレームレートが低下するという問題がある。
また、素子数の増加による整相加算やフレーム間積算によれば、必要な演算量が増加するとともに、フレームレートの低下が不可避である。
【００１０】
受信信号のＳ／Ｎを高める課題に対し、上述した対応が採られた中、従来の超音波画像診断装置において、被検体内に光を照射し、この光の照射により生じた光音響波を圧電素子にて受信し、これに基づいて超音波診断画像を生成するようにしたものがある。この超音波画像診断装置では、光音響波から取得される受信信号の強度が微弱であるため、Ｓ／Ｎを向上させるために、圧電素子に対してノイズを付加して受信信号を確率共鳴により増幅させる確率共鳴法が適用されている。この技術によれば、短パルスの特性を有する光の照射により生じた音響波のパルス長も短いため、時間分解能に優れ、高い空間分解能を得ることができるようになる（例えば、特許文献１）。
【先行技術文献】
【特許文献】
【００１１】
【特許文献１】特開２００９−１６５６３４号公報
【発明の概要】
【発明が解決しようとする課題】
【００１２】
しかしながら、上記特許文献１に記載の超音波画像診断装置では、光の到達深度は極めて小さいため、せいぜい６ｍｍ程度の深度までの音響波しか得ることができない。
【００１３】
本発明の課題は、高深度において空間分解能のよい、Ｓ／Ｎの高い受信信号により良好な超音波診断画像を得ることができる超音波画像診断装置を提供することである。
【課題を解決するための手段】
【００１４】
以上の課題を解決するため、請求項１に記載の発明は、超音波画像診断装置において、
駆動信号によって被検体に向けて送信超音波を出力するとともに、被検体からの反射超音波を受信することにより受信信号を出力する振動子と、
前記振動子による反射超音波の受信を行うときに、前記振動子に対してノイズを含む電圧を印加して前記受信信号を確率共鳴現象により増幅させるためのノイズ出力部と、
前記受信信号から高調波成分を抽出する高調波抽出部と、
前記高調波抽出部によって抽出された高調波成分に基づいて前記被検体内の超音波診断画像データーを生成する画像処理部と、
を備え、
前記ノイズ出力部は、前記確率共鳴現象によって前記高調波成分が増幅されるようなノイズを含む電圧を前記振動子に対して印加することを特徴とする。
【００１５】
請求項２に記載の発明は、請求項１に記載の超音波画像診断装置において、
前記ノイズ出力部は、前記確率共鳴現象によって３次高調波成分が増幅されるようなノイズを含む電圧を前記振動子に対して印加することを特徴とする。
【００１６】
請求項３に記載の発明は、請求項１又は２に記載の超音波画像診断装置において、
前記ノイズ出力部は、前記振動子が受信する反射超音波の深度に応じて、前記確率共鳴現象による前記高調波成分の増幅の増幅率が次数毎に変更されるように前記ノイズを含む電圧を前記振動子に対して印加することを特徴とする。
【００１７】
請求項４に記載の発明は、請求項３に記載の超音波画像診断装置において、
前記ノイズ出力部は、印加する電圧に含まれるノイズのパターンを変更することにより、前記確率共鳴現象による前記高調波成分の増幅の増幅率を次数毎に変更することを特徴とする。
【００１８】
請求項５に記載の発明は、請求項１〜４の何れか一項に記載の超音波画像診断装置において、
前記ノイズ出力部は、前記被検体における所定の深度からの反射超音波を前記振動子が受信するタイミングで前記高調波成分が増幅されるようなノイズを含む電圧を前記振動子に対して印加することを特徴とする。
【００１９】
請求項６に記載の発明は、請求項１〜５の何れか一項に記載の超音波画像診断装置において、
前記ノイズ出力部によって出力される電圧が前記受信信号のベースラインに整合するように該電圧に対してバイアス電圧を重畳するバイアス電圧供給部を備えたことを特徴とする。
【００２０】
請求項７に記載の発明は、請求項６に記載の超音波画像診断装置において、
前記バイアス電圧供給部は、前記振動子が受信する反射超音波の深度に応じて、重畳するバイアス電圧の大きさを変更することを特徴とする。
【発明の効果】
【００２１】
本発明によれば、高深度において空間分解能のよい、Ｓ／Ｎの高い受信信号により良好な超音波診断画像を得ることができる。
【図面の簡単な説明】
【００２２】
【図１】超音波画像診断装置の外観構成を示す図である。
【図２】超音波画像診断装置の概略構成を示すブロック図である。
【図３】信号成分とノイズ成分の信号レベルについて説明する図である。
【図４】深度とバイアス電圧との関係について説明する図である。
【図５】反射超音波の周波数スペクトルを表す概要図である。
【図６】信号成分及びノイズ成分と深度との関係について説明する図である。
【図７】確率共鳴現象を適用しない場合の受信信号のＳ／Ｎについて説明する概要図である。
【図８】確率共鳴現象を適用した場合の受信信号のＳ／Ｎについて説明する概要図である。
【発明を実施するための形態】
【００２３】
以下、本発明の実施の形態に係る超音波画像診断装置について、図面を参照して説明する。ただし、発明の範囲は図示例に限定されない。なお、以下の説明において、同一の機能及び構成を有するものについては、同一の符号を付し、その説明を省略する。
【００２４】
本実施の形態に係る超音波画像診断装置Ｓは、図１及び図２に示すように、超音波画像診断装置本体１と超音波探触子２とを備えている。超音波探触子２は、図示しない生体等の被検体に対して超音波（送信超音波）を送信するとともに、この被検体で反射した超音波の反射波（反射超音波：エコー）を受信する。超音波画像診断装置本体１は、超音波探触子２とケーブル３を介して接続され、超音波探触子２に電気信号の駆動信号を送信することによって超音波探触子２に被検体に対して送信超音波を送信させるとともに、超音波探触子２にて受信した被検体内からの反射超音波に応じて超音波探触子２で生成された電気信号である受信信号に基づいて被検体内の内部状態を超音波画像として画像化する。
【００２５】
超音波探触子２は、圧電素子からなる振動子２ａを備えており、この振動子２ａは、例えば、方位方向（走査方向）に一次元アレイ状に複数配列されている。本実施の形態では、例えば、１９２個の振動子２ａを備えた超音波探触子２を用いている。なお、振動子２ａは、二次元アレイ状に配列されたものであってもよい。また、振動子２ａの個数は、任意に設定することができる。また、本実施の形態では、超音波探触子２について、リニア電子スキャンプローブを採用したが、電子走査方式あるいは機械走査方式の何れを採用してもよく、また、リニア走査方式、セクタ走査方式あるいはコンベックス走査方式の何れの方式を採用することもできる。また、本実施の形態において、振動子２ａに適用される圧電素子は、ＰＺＴあるいはＰ（ＶＤＦ−３ＦＥ）であるが、これらに限定されない。
【００２６】
超音波画像診断装置本体１は、例えば、図２に示すように、操作入力部１１と、送信部１２と、受信部１３と、画像生成部１４と、メモリー部１５と、ＤＳＣ（Digital Scan Converter）１６と、表示部１７と、制御部１８と、ノイズ出力部１９とを備えて構成されている。
【００２７】
操作入力部１１は、例えば、診断開始を指示するコマンドや被検体の個人情報等のデーターの入力などを行うための各種スイッチ、ボタン、トラックボール、マウス、キーボード等を備えており、操作信号を制御部１８に出力する。
【００２８】
送信部１２は、制御部１８の制御に従って、超音波探触子２にケーブル３を介して電気信号である駆動信号を供給して超音波探触子２に送信超音波を発生させる回路である。また、送信部１２は、例えば、クロック発生回路、遅延回路、パルス発生回路を備えている。クロック発生回路は、駆動信号の送信タイミングや送信周波数を決定するクロック信号を発生させる回路である。遅延回路は、駆動信号の送信タイミングを振動子２ａ毎に対応した個別経路毎に遅延時間を設定し、設定された遅延時間だけ駆動信号の送信を遅延させて送信超音波によって構成される送信ビームの集束を行うための回路である。パルス発生回路は、所定の周期で駆動信号としてのパルス信号を発生させるための回路である。
このように構成された送信部１２は、制御部１８の制御に従って、駆動信号を供給する複数の振動子２ａを、超音波の送受信毎に所定数ずらしながら順次切り替え、出力の選択された複数の振動子２ａに対して駆動信号を供給することにより走査を行う。
【００２９】
受信部１３は、制御部１８の制御に従って、超音波探触子２からケーブル３を介して電気信号の受信信号を受信する回路である。受信部１３は、例えば、増幅器、Ａ／Ｄ変換回路、整相加算回路を備えている。増幅器は、受信信号を、振動子２ａ毎に対応した個別経路毎に、予め設定された所定の増幅率で増幅させるための回路である。Ａ／Ｄ変換回路は、増幅された受信信号をＡ／Ｄ変換するための回路である。整相加算回路は、Ａ／Ｄ変換された受信信号に対して、振動子２ａ毎に対応した個別経路毎に遅延時間を与えて時相を整え、これらを加算（整相加算）して音線データーを生成するための回路である。
また、受信部１３は、高調波抽出部１３ａを備えており、受信信号の基本波成分を除去し、基本波成分の整数倍の周波数成分である２次高調波や３次高調波等の高調波成分を抽出する。高調波成分は、反射超音波の被検体内における非線形性により生じる周波数成分である。
なお、受信部１３に、後述するノイズ出力部１９によって出力されたノイズ成分を受信信号から除去するためのノイズ除去フィルターを備えるようにしてもよい。
【００３０】
画像処理部としての画像生成部１４は、受信部１３からの音線データーに対して包絡線検波処理や対数増幅などを実施し、ゲインの調整等を行って輝度変換することにより、Ｂモード画像データーを生成する。すなわち、Ｂモード画像データーは、受信信号の強さを輝度によって表したものである。
【００３１】
メモリー部１５は、例えば、ＤＲＡＭ（Dynamic Random Access Memory）などの半導体メモリーによって構成されており、画像生成部１４から送信されたＢモード画像データーをフレーム単位で記憶する。すなわち、メモリー部１５は、フレーム単位により構成された超音波診断画像データーとして記憶することができる。そして、記憶された超音波診断画像データーは、制御部１８の制御に従って、ＤＳＣ１６に送信される。
【００３２】
ＤＳＣ１６は、メモリー部１５より受信した超音波診断画像データーをテレビジョン信号の走査方式による画像信号に変換し、表示部１７に出力する。
【００３３】
表示部１７は、ＬＣＤ（Liquid Crystal Display）、ＣＲＴ（Cathode-Ray Tube）ディスプレイ、有機ＥＬ（Electronic Luminescence）ディスプレイ、無機ＥＬティスプレイ及びプラズマディスプレイ等の表示装置が適用可能である。表示部１７は、ＤＳＣ１６から出力された画像信号に従って表示画面上に超音波診断画像の表示を行う。なお、表示装置に代えてプリンター等の印刷装置等を適用してもよい。
【００３４】
制御部１８は、例えば、ＣＰＵ（Central Processing Unit）、ＲＯＭ（Read Only Memory）、ＲＡＭ（Random Access Memory）を備えて構成され、ＲＯＭに記憶されているシステムプログラム等の各種処理プログラムを読み出してＲＡＭに展開し、展開したプログラムに従って超音波画像診断装置Ｓの各部の動作を集中制御する。
ＲＯＭは、半導体等の不揮発メモリー等により構成され、超音波画像診断装置Ｓに対応するシステムプログラム及び該システムプログラム上で実行可能な各種処理プログラムや、各種データー等を記憶する。これらのプログラムは、コンピューターが読み取り可能なプログラムコードの形態で格納され、ＣＰＵは、当該プログラムコードに従った動作を逐次実行する。
ＲＡＭは、ＣＰＵにより実行される各種プログラム及びこれらプログラムに係るデーターを一時的に記憶するワークエリアを形成する。
【００３５】
ノイズ出力部１９は、例えば、タイミングクロックや発振器等を備え、制御部１８からの制御に応じ、振動子２ａによる反射超音波の受信のタイミングで、振動子２ａに対してノイズを含む微小電圧を印加する。振動子２ａは、ノイズ出力部１９からの微小電圧が印加されると、微小電圧に含まれるノイズに応答して微小変形する。振動子２ａは、微小電圧が印加されるとともに反射超音波を受信すると、振動子２ａの変形が確率共鳴現象によってある周波数で共鳴し、反射超音波の受信に対する応力が増幅される。したがって、変換される受信信号の強度が増幅され、Ｓ／Ｎが向上する。なお、振動子２ａへの微小電圧の印加のタイミングが反射超音波の受信のタイミング以前であってもよい。また、所定の深度からの反射超音波の受信タイミングで振動子２ａへの微小電圧の印加を開始してもよい。例えば、３次高調波成分が発生する深度からの反射超音波の受信タイミングで微小電圧の印加を開始するようにしてもよい。
【００３６】
ノイズ出力部１９から出力されるノイズ成分としては、ホワイトノイズや有色ノイズの何れも適用可能であり、例えば、有色ノイズとしては、ピンクノイズ、ブルーノイズ、バイオレットノイズ等が挙げられる。ホワイトノイズは、パワースペクトル密度が周波数に拘わらず一定であるノイズである。ピンクノイズは、パワースペクトル密度が周波数に反比例であるノイズである。ブルーノイズは、パワースペクトル密度が周波数に比例であるノイズである。バイオレットノイズは、パワースペクトル密度が周波数の二乗に比例であるノイズである。なお、出力するノイズ成分は上述したものに限定されず、任意のパワースペクトル密度とすることができ、例えば、２次高調波成分及び３次高調波成分に対して確率共鳴現象が生じやすくなるようなパワースペクトル密度であるノイズ成分を出力してもよい。
【００３７】
ここで、被検体内における反射超音波は、送信超音波に対してより帯域と振幅が変調された複雑なスペクトルを与える。したがって、このような反射超音波に対する振動子２ａの応答に対して高い確率で共鳴させ、その現象をあらゆる深度においても適応させるためには、振動子２ａに対して重畳するノイズの周波数成分及び強度について、時間的に変化させるのが好ましい。特に、深部においては、反射超音波から得られる受信信号の強度が微弱であることから、確率共鳴現象によって効果的に受信信号が増幅されるようにするのがよい。
【００３８】
本実施の形態では、確率共鳴現象によって増幅される周波数成分がノイズの種類によって変化することに着目し、ノイズ出力部１９は、受信する反射超音波の深度に応じて振動子２ａに印加する微小電圧に含まれるノイズを最適化することにより、次数に従って強度が小さくなり、広帯域化する高調波成分に対しても基本波成分と同様のＳ／Ｎの向上が図られるようになる。確率共鳴現象を発生させるために振動子２ａに重畳するノイズは、増幅させる受信信号の中心周波数（ｆＲ）、周波数帯域（ＢＷＲ）、信号レベル（ＶＲ）、強度（ＩＲ）等に従って、ノイズの周波数帯域（ＢＷＮ）、振幅（ＡＮ）、ノイズを重畳するタイミング（ＴＮ）等を可変することで最適化することができる。
【００３９】
本実施の形態における好ましい一態様としては、例えば、下記式（１）及び（２）を満たすものが挙げられる。
ＢＷＮ＝（１０−３〜１０−４）ｆＲ・・・（１）
ＡＮ＝（１０−１２〜１０２）ＩＲ・・・（２）
したがって、受信信号が広帯域である場合は、ノイズの周波数帯域（ＢＷＮ）を調整することにより、所望の帯域の受信信号を増幅することができ、同様の機能を有するバンドパスフィルター、ハイパスフィルター及びローパスフィルター等のフィルター回路が不要となる場合がある。
さらに、ノイズを重畳するタイミング（ＴＮ）を調整することにより、所定の深度からの反射超音波を選択的に増幅することができ、深度に応じて受信信号の増幅率を変化させるＴＧＣ等の構成が不要になる場合がある。
本実施の形態では、ノイズ出力部１９は、特に、深部からの反射超音波を受信するときにおいては、３次高調波成分が増幅されるようなノイズを振動子２ａに与えるように制御する。
【００４０】
また、ノイズ出力部１９は、バイアス電圧供給部１９ａを備えており、出力する微小電圧に対してバイアスをかけて電圧の増幅を行う。バイアス電圧供給部１９ａは、振動子２ａによって反射超音波から変換された受信信号のベースラインに相当する電圧となるように微小電圧を増幅する。これは、確率共鳴現象を効果的に発生させるためには、ノイズが含まれる電圧を、確率共鳴現象を生じさせる信号のベースラインに相当する電圧に適合させる必要があるためである。具体的には、以下のようにしてバイアスの設定を行う。すなわち、例えば、図３に示すように、ノイズ出力部１９から出力される微小電圧Ｅの基準電圧値がａＶで、受信信号Ｓのベースラインに相当する電圧がｂＶである場合、これらの電圧差（ΔＶ）は、下記式（３）によって示される。
ΔＶ＝ｂＶ−ａＶ・・・（３）
そして、バイアス電圧供給部１９ａは、このようにして求められた電圧差（ΔＶ）に相当する電圧のバイアスをノイズ出力部１９から出力される微小電圧に重畳する。
【００４１】
また、受信信号のベースラインに相当する電圧は深度に応じて大きくなる。したがって、微小電圧に重畳するバイアスもこれに追従させる必要がある。本実施の形態では、バイアス電圧供給部１９ａは、例えば、図４に示すようなテーブルを備え、深度に応じた電圧のバイアスが微小電圧に重畳されるように構成されている。
【００４２】
以上のように構成された超音波画像診断装置Ｓによって、確率共鳴現象により受信信号が増幅される原理について説明する。
【００４３】
図５に示すように、被検体内に対して出力された送信超音波から得られる反射超音波には、中心周波数がｆ０である基本波成分と、中心周波数が基本波成分の２倍の周波数ｆ１である２次高調波成分と、中心周波数が基本波成分の３倍の周波数ｆ２である３次高調波成分とが含まれている。これらの高調波成分は、基本波成分に比べて広帯域であるが、強度が非常に小さい。例えば、２次高調波成分の強度は基本波成分の強度よりも２０ｄＢ小さく、３次高調波成分の強度は２次高調波成分の強度よりもさらに２０ｄＢ小さい。
【００４４】
このような反射超音波を振動子２ａが受信して受信信号に変換されると、受信信号には、反射超音波から得られる所望とする信号成分の他、超音波画像診断装置本体１において発生するシステムノイズや、被検体内における超音波散乱波の干渉により生じるスペックルが含まれるようになる。
【００４５】
例えば、ある受信信号においては、図６に示すように、所望の信号成分Ｓの他、上述したシステムノイズ成分やスペックル成分等のノイズ成分Ｎが含まれている。なお、図６において、ノイズ成分Ｎによって示される範囲は、当該範囲においてノイズ成分による信号の振幅が行われていることを示している。また、信号成分Ｓのうち、Ｓ（ｆ０）は基本波成分を示しており、Ｓ（ｆ２）は、３次高調波成分を示している。
信号成分Ｓは、深度が大きくなるにつれて減衰する。また、ノイズ成分Ｎ（特に、スペックル成分）は、ある程度の深い位置となると振幅が大きくなり、ノイズによる影響が大きくなる。そのため、深度ａよりも深い位置では、信号成分Ｓがノイズ成分Ｎに埋もれてしまい、信号成分とノイズ成分との区別ができなくなってしまう。さらに、３次高調波成分Ｓ（ｆ２）にあっては、基本波成分Ｓ（ｆ０）よりも４０ｄＢ小さいため、例えば、深度ａよりも浅い深度ｂの位置において、ノイズ成分Ｎに埋もれてしまう。このように、３次高調波成分は、空間分解能に優れ、サイドローブが少ないという特徴があるため、有用性は高いものであるが、強度が極めて微弱であるため、従来では抽出が困難であるという問題があった。
【００４６】
図７及び図８は、ある受信信号の一部を抽出して表している。図７は、確率共鳴現象を適用しないで受信信号を得た場合の信号成分とノイズ成分との関係を表し、図８は、本実施の形態によって受信信号を得た場合の信号成分とノイズ成分との関係を表している。
【００４７】
図７に示すように、信号成分Ｓのピーク時における強度をＶｓによって表し、ノイズ成分Ｎの強度をＶｎによって表すと、Ｓ／Ｎは下記式（４）のように表すことができる。
Ｓ／Ｎ＝Ｖｓ／Ｖｎ・・・（４）
【００４８】
また、信号成分Ｓのうち、画像化したときにおいて識別することができる部分は、信号成分Ｓの強度Ｖｓからノイズ成分Ｎに埋もれた部分を除いた部分となる。この部分をダイナミックレンジということがあり、図７においては、その大きさをＶｓａにて表している。すなわち、信号成分ＳのダイナミックレンジＶｓａが小さいほど、ノイズ成分Ｎとのコントラストが小さくなり、このような受信信号によって取得された超音波画像では、被検体内の反射体の識別が困難な場合がある。
【００４９】
本実施の形態では、上述のように、確率共鳴現象により受信信号が増幅されるので、図８に示すように、信号成分Ｓの強度Ｖｓが飛躍的に上昇する。一方で、確率共鳴現象によるノイズ成分Ｎの強度への影響は少ない。したがって、Ｓ／Ｎ及びダイナミックレンジが飛躍的に向上する。また、上述したように、深度に応じて重畳するノイズ成分を最適化すること、すなわち、深度に応じて重畳するノイズのパターンを変更することで、確率共鳴現象により増幅される高調波成分の増幅率を次数毎に異ならせることができる。よって、強度が微弱な２次高調波成分や３次高調波成分についても、基本波成分と同様の強度の受信信号を得ることができるようになる。
【実施例１】
【００５０】
以下、実施例により本発明をより詳細に説明するが、勿論本発明はこれらの実施例に限定されるものではない。
【００５１】
［比較例１］
比較例１として、ＰＺＴからなる振動子２ａ（素子数１９２、各素子の大きさが横０．２ｍｍ×縦８ｍｍ×厚み０．０４ｍｍでありそれらが方位方向に整列）を用いた超音波探触子２を作成し、４ＭＨｚ、焦点９５ｍｍ、焦点音圧０．２ＭＰａにて送信超音波を所定のファントム（装置の動作試験に用いられる模型）に対して送信し、ファントムの内部における送信超音波の焦点位置に配置された直径０．１ｍｍのナイロンワイヤーからの反射超音波を受信した。
このときの受信信号のＳ／Ｎは、基本波中心周波数４ＭＨｚにて−３０ｄＢ、２次高調波である中心周波数８ＭＨｚにて−４５．６ｄＢ、３次高調波である中心周波数１２ＭＨｚにて−６０．８ｄＢであった。
【００５２】
［実施例１−１］
次に、比較例１と同条件下で超音波の送受信を行い、反射超音波の受信時において、０．１Ｖｒｍｓのホワイトノイズを各振動子２ａに印加した。
このときの受信信号のＳ／Ｎは、基本波中心周波数４ＭＨｚにて−５ｄＢ、２次高調波である中心周波数８ＭＨｚにて−３５．６ｄＢ、３次高調波である中心周波数１２ＭＨｚにて−５５．８ｄＢであり、基本波＞２次高調波＞３次高調波の順で利得の向上が見られた。
【００５３】
［実施例１−２］
また、実施例１と同条件下においてホワイトノイズをブルーノイズに変更し、ノイズ強度を０．１５Ｖ／Ｈｚ１／２とした他は同一のノイズ印加条件とし、反射超音波の受信を行った。
このときの受信信号のＳ／Ｎは、基本波中心周波数４ＭＨｚにて−２０ｄＢ、２次高調波である中心周波数８ＭＨｚにて−２０．６ｄＢ、３次高調波である中心周波数１２ＭＨｚにて−４５．８ｄＢであり、２次高調波＞３次高調波＞基本波の順で利得の向上が見られた。
【００５４】
［実施例１−３］
また、実施例１と同条件下においてホワイトノイズをバイオレットノイズに変更し、ノイズ強度を０．３Ｖ／Ｈｚ１／２とした他は同一のノイズ印加条件とし、反射超音波の受信を行った。
このときの受信信号のＳ／Ｎは基本波中心周波数４ＭＨｚにて−２５ｄＢ、２次高調波である中心周波数８ＭＨｚにて−２０．６ｄＢ、３次高調波である中心周波数１２ＭＨｚにて−３０．８ｄＢであり、３次高調波＞２次高調波＞基本波の順で利得の向上が見られた。
【００５５】
［結果］
各実施例１−１〜１−３によってそれぞれ得られた受信信号は、通常の信号処理、すなわち包絡線検波、輝度変換、ＤＳＣ等の各処理を経て画像化することによって、ノイズを重畳しない比較例１に比べて空間分解能及びコントラストに優れ診断に有用な超音波画像を取得することができた。
【００５６】
［比較例２］
比較例２として、Ｐ（ＶＤＦ−３ＦＥ）からなる振動子２ａ（素子数１２８、各素子の大きさが横０．２５ｍｍ×縦１０ｍｍ×厚み０．０４ｍｍでありそれらが方位方向に整列）を用いた超音波探触子２を作成し、１０ＭＨｚ、焦点５０ｍｍ、焦点音圧０．１５ＭＰａにて送信超音波をファントムに対して送信し、ファントムの内部における送信超音波の焦点位置に配置された直径０．１ｍｍのナイロンワイヤーからの反射超音波を受信した。
このときの受信信号のＳ／Ｎは、基本波中心周波数１０ＭＨｚにて−４０ｄＢ、２次高調波である中心周波数２０ＭＨｚにて−６０ｄＢ、３次高調波である中心周波数３０ＭＨｚにて−８０ｄＢであった。
【００５７】
［実施例２］
次に、比較例２と同条件下で超音波の送受信を行い、反射超音波の受信時において、０．０６Ｖ／Ｈｚ１／２のピンクノイズを各振動子２ａに印加した。
このときの受信信号のＳ／Ｎは、基本波中心周波数１０ＭＨｚにて−１５ｄＢ、２次高調波である中心周波数２０ＭＨｚにて−３５．３ｄＢ、３次高調波である中心周波数３０ＭＨｚにて−５５．８ｄＢであり、いずれの周波数帯域においても略一様の利得の向上が見られた。
【００５８】
［結果］
実施例２によって得られた受信信号は、通常の信号処理、すなわち包絡線検波、輝度変換、ＤＳＣ等の各処理を経て画像化することによって、ノイズを重畳しない比較例２に比べて空間分解能及びコントラストに優れ診断に有用な超音波画像を取得することができた。
【００５９】
［比較例３］
比較例３として、ＰＺＴからなる振動子２ａ（素子数１９２、各素子の大きさが横０．２ｍｍ×縦８ｍｍ×厚み０．０４ｍｍでありそれらが横方向に整列）を用いた超音波探触子２を作成し、４ＭＨｚ、多点焦点（３０、６０、９５ｍｍ）とし、それぞれの焦点音圧を０．０６、０．１４、０．２ＭＰａにて送信超音波をファントムに対して送信し、ファントムの内部における送信超音波の各焦点位置に配置された直径０．１ｍｍのナイロンワイヤーからの反射超音波を受信した。
このときの受信信号のＳ／Ｎの深度に対する関係は、３次高調波である中心周波数１２ＭＨｚにて、それぞれ、−１９．２ｄＢ／３０ｍｍ、−３８．４ｄＢ／６０ｍｍ、−６０．８ｄＢ／９５ｍｍであった。
【００６０】
［実施例３］
次に、比較例３と同条件下で超音波の送受信を行い、送信超音波の送信直後、当該各振動子２ａに１０００Ｖｒｍｓ／ｓｅｃの強度の時間変化をもつホワイトノイズを１５０μｓ印加し、ナイロンワイヤーからの反射超音波を受信した。
このときの受信信号のＳ／Ｎの深度に対する関係は、３次高調波である中心周波数１２ＭＨｚにて、それぞれ、−５．３ｄＢ／３０ｍｍ、−５．４ｄＢ／６０ｍｍ、−５．６ｄＢ／９５ｍｍであり、深度に従い増幅率が増加したことによるほぼ一様のＳ／Ｎが得られ、ＴＧＣ等による深度毎の受信信号の増幅を不要とすることが可能となった。
【００６１】
［結果］
実施例３によって得られた受信信号は、通常の信号処理、すなわち包絡線検波、輝度変換、ＤＳＣ等の各処理を経て画像化することによって、ノイズを重畳しない比較例３に比べて空間分解能及びコントラストに優れ、深度に一様な診断に有用な超音波画像を取得することができた。
【００６２】
以上説明したように、本実施の形態によれば、振動子２ａは、駆動信号によって被検体に向けて送信超音波を出力するとともに、被検体からの反射超音波を受信することにより受信信号を出力する。ノイズ出力部１９は、振動子２ａに対してノイズを含む電圧を印加して受信信号を確率共鳴現象により増幅させる。高調波抽出部１３ａは、受信信号から高調波成分を抽出する。画像生成部１４は、高調波抽出部１３ａによって抽出された高調波成分に基づいて被検体内の超音波診断画像データーを生成する。ノイズ出力部１９は、確率共鳴現象によって高調波成分が増幅されるようなノイズを含む電圧を振動子２ａに対して印加する。その結果、高深度においても強度の小さい高調波成分を増幅することができ、空間分解能がよく、Ｓ／Ｎの高い受信信号を取得することができるようになる。また、従来の圧電材料を適用して実現することができ、フレームレートにも影響しない。また、装置の大型化が抑えられ、製造コストにも優れる。
【００６３】
また、本実施の形態によれば、ノイズ出力部１９は、確率共鳴現象によって３次高調波成分が増幅されるようなノイズを含む電圧を振動子２ａに対して印加する。その結果、高深部においても、高周波である３次高調波成分により、より分解能の高い超音波画像を取得することができる。
【００６４】
また、本実施の形態によれば、ノイズ出力部１９は、振動子２ａが受信する反射超音波の深度に応じて、確率共鳴現象による高調波成分の増幅の増幅率が次数毎に変更されるようにノイズを含む電圧を振動子２ａに対して印加する。その結果、深度に応じて適切な信号成分を抽出することができ、より画質の優れた超音波画像を取得することができる。
【００６５】
また、本実施の形態によれば、ノイズ出力部１９は、印加する電圧に含まれるノイズのパターンを変更することにより、確率共鳴現象によって増幅される高調波成分の次数を変更する。その結果、簡素な方法にて深度に応じて適切な信号成分を抽出することができる。
【００６６】
また、本実施の形態によれば、ノイズ出力部１９は、被検体における所定の深度からの反射超音波を振動子２ａが受信するタイミングで高調波成分が増幅されるようなノイズを含む電圧を振動子２ａに対して印加する。その結果、効率よく高調波成分を増幅させることができる。
【００６７】
また、本実施の形態によれば、バイアス電圧供給部１９ａは、ノイズ出力部１９によって出力される電圧が受信信号のベースラインに整合するように該電圧に対してバイアス電圧を重畳する。その結果、確率共鳴現象による受信信号の増幅を効率よく行うことができるようになる。
【００６８】
また、本実施の形態によれば、バイアス電圧供給部１９ａは、振動子２ａが受信する反射超音波の深度に応じて、重畳するバイアス電圧の大きさを変更する。その結果、様々な深度における受信信号の増幅を効率よく行うことができるようになる。
【００６９】
なお、本発明の実施の形態における記述は、本発明に係る超音波画像診断装置の一例であり、これに限定されるものではない。超音波画像診断装置を構成する各機能部の細部構成及び細部動作に関しても適宜変更可能である。
【００７０】
また、本実施の形態では、深度に応じて印加するノイズの最適化を行うようにしたが、深度にかかわらず、一定のノイズを印加するようにしてもよい。
【００７１】
また、本実施の形態では、確率共鳴現象を効率よく行わせるために、ノイズ成分を含む微小電圧にバイアスをかけるようにしたが、バイアスをかけない構成としてもよい。また、バイアス電圧が一定であってもよい。
【００７２】
また、本実施の形態では、確率共鳴現象により受信信号のうちの信号成分を増幅し、受信信号が全体的に増幅されるようなノイズ成分を重畳するようにしたが、例えば、２次高調波成分及び３次高調波成分等の少なくとも一部の周波数成分のみを増幅させ、他の周波数成分については増幅されないようなノイズ成分を重畳するようにしてもよい。すなわち、所望とする周波数成分のみが増幅されるようなノイズ成分を重畳し、その結果として、例えば、ノイズ成分を重畳しない場合よりも、受信信号が全体として増幅していないような場合であってもよい。
【符号の説明】
【００７３】
Ｓ  超音波画像診断装置
１  超音波画像診断装置本体
２  超音波探触子
２ａ  振動子
１２  送信部
１３  受信部
１３ａ  高調波抽出部
１４  画像生成部
１５  メモリー部
１８  制御部
１９  ノイズ出力部
１９ａ  バイアス電圧供給部
【図１】
0005682465.tif 000002
【図２】
0005682465.tif 000003
【図３】
0005682465.tif 000004
【図４】
0005682465.tif 000005
【図５】
0005682465.tif 000006
【図６】
0005682465.tif 000007
【図７】
0005682465.tif 000008
【図８】
0005682465.tif 000009